(57)【要約】【課題】脱衣室冷房運転時に凝縮器で発生する熱を浴室内の乾燥に使用することでエネルギーを有効に利用できる脱衣室冷房機を提供することを目的とする。【解決手段】脱衣室吸込み口５と脱衣室用ファン１７との間には蒸発器２１が設けられ、脱衣室冷房運転時には脱衣室用ファン１７により脱衣室Ｂ内から吸込まれた空気が蒸発器２１により冷却され、送風通路２５を介して脱衣室吹出口７から再び冷風として脱衣室Ｂ内へ供給する。さらに、浴室吸込み口１３と浴室用ファン１９との間には凝縮器２３が設けられ、浴室用ファン１９により浴室Ａ内から吸込まれた空気が凝縮器２１により加熱され、送風通路２９を介して浴室吹出口１２から再び温風として浴室Ａ内へ供給する。【選択図】  図２
2004293987.tif 000002
【特許請求の範囲】
【請求項１】
蒸発器、凝縮器、圧縮機より構成される冷凍サイクルと、前記冷凍サイクルと一体化され前記蒸発器により冷却された空気及び凝縮器により加熱された空気を送風するファンと、前記冷凍サイクル及びファンをコントロールする制御部とを備えるとともに、前記脱衣室の空気を吸込む脱衣室吸込口及び吸込んだ空気を脱衣室に吹出す脱衣室吹出口と、前記脱衣室吸込口から吸込まれた空気を前記蒸発器により冷却し、前記脱衣室吹出口から供給する脱衣室冷房運転を備える脱衣室冷房装置において、
浴室の空気を吸込む浴室吸込口及び吸込んだ空気を浴室に吹出す浴室吹出口と、  前記脱衣室冷房運転時に前記浴室吸込口から吸込まれた空気を前記凝縮器により加熱し、前記浴室吹出口から浴室内へ供給することを特徴とする脱衣室冷房装置。
【請求項２】
前記制御部は別体に設けられた浴室内の換気を行う換気装置と信号線により接続され、前記脱衣室冷房運転時には前記換気装置を運転開始させ、脱衣室冷房運転停止時には前記換気装置を停止させる換気扇連動回路を前記制御部に設けたことを特徴とする請求項１記載の脱衣室冷房装置。
【請求項３】
前記浴室吹出口には風向を可変するための吹出口風向可変手段を設け、前記制御部は前記吹出口風向可変手段を複数方向に可変可能であることを特徴とする請求項１記載の脱衣室冷房装置。
【請求項４】
前記脱衣室冷房運転時に前記蒸発器で発生する結露水を浴室内に排出する排水機構を設けたことを特徴とする脱衣室冷房装置。
【発明の詳細な説明】
【０００１】
【発明の属する技術分野】
本発明は、脱衣室の冷房等を行う脱衣室冷房装置に関する。
【０００２】
【従来の技術】
従来、夏場に浴室と隣接した脱衣室を冷房したい場合にはエアコンを設置することが一般的に考えられる。
【０００３】
しかし、室外機を屋外へ置く必要があるために特にマンションなど設置スペースが確保できないところでは設置が難しく、また脱衣室が外壁に面していない場合は脱衣室から離れた場所に室外機を設置することになり、冷媒配管工事に時間がかかるという問題がある。
【０００４】
そこで、上記を解決するために室内機及び室外機を一体化し浴室の天井裏に設置する空気冷房装置が知られている（例えば特許文献１参照。）。このものでは脱衣室冷房運転時には冷却器により冷やされた空気を脱衣室に供給して空調するものである。
【特許文献１】
特開平５−２４０４８７号公報
【０００５】
【発明が解決しようとする課題】
上記従来のものでは脱衣室冷房運転時は冷却器で冷やされた空気を脱衣室に供給するものであるが、その際、凝縮器内は高温高圧の冷媒が通過している。一般にエアコンでは冷房運転時には室外機からこの凝縮器で発生した熱を温風として屋外に排出しているが、上記従来のものでは凝縮器で発生した熱は何ら利用されていない。
【０００６】
一方、冷房運転を行う夏場は湿度が高く、特に浴室においては入浴後に浴室壁面などに付着した水滴がなかなか乾かず、カビの原因となることが考えられる。この場合、換気装置による浴室換気運転を行えばある程度の効果が期待できるが、夏場の湿度の高い環境下においては長時間かかってしまう。そこで温風を利用して浴室内に付着した水滴の乾燥を促進する方法もあるが、別途温風を出すための装置が必要となる。
【０００７】
そこで本発明は冷房運転時に凝縮器で発生する熱を温風として浴室内に供給することで、浴室内に付着した水滴の乾燥に利用することに着目したもので、本発明の目的は、脱衣室冷房運転時に凝縮器で発生する熱を無駄にすることなく、浴室内の乾燥に使用することでエネルギーを有効に利用できる脱衣室冷房機を提供することにある。
【０００８】
【課題を解決するための手段及びその作用・効果】
本発明においては、蒸発器、凝縮器、圧縮機より構成される冷凍サイクルと、前記冷凍サイクルと一体化され前記蒸発器により冷却された空気及び凝縮器により加熱された空気を送風するファンと、前記冷凍サイクル及びファンをコントロールする制御部とを備えるとともに、前記脱衣室の空気を吸込む脱衣室吸込口及び吸込んだ空気を脱衣室に吹出す脱衣室吹出口と、前記脱衣室吸込口から吸込まれた空気を前記蒸発器により冷却し、前記脱衣室吹出口から供給する脱衣室冷房運転を備える脱衣室冷房装置において、浴室の空気を吸込む浴室吸込口及び吸込んだ空気を浴室に吹出す浴室吹出口と、  前記脱衣室冷房運転時に前記浴室吸込口から吸込まれた空気を前記凝縮器により加熱し、前記浴室吹出口から浴室内へ供給することとした。従って、脱衣室冷房運転時には蒸発器により冷却された空気を脱衣室に供給して冷房すると同時に、凝縮器により加熱された空気を浴室内へ供給するので、浴室内の乾燥を無駄なエネルギーを使用することなく効率良く実現することができる。
【０００９】
更に、前記制御部は別体に設けられた浴室内の換気を行う換気装置と信号線により接続され、前記脱衣室冷房運転時には前記換気装置を運転開始させ、脱衣室冷房運転停止時には前記換気装置を停止させる換気扇連動回路を前記制御部に設けた。従って浴室には温風を供給するとともに、浴室内の湿気を屋外へ排出することができるので、浴室内の乾燥をより一層促進することができる。
【００１０】
また、本発明の好適な実施形態として、前記浴室吹出口には風向を可変するための吹出口風向可変手段を設け、前記制御部は前記吹出口風向可変手段を複数方向に可変可能とすれば、例えば浴室の天井面あるいは壁面を
【００１１】
更に、前記脱衣室冷房運転時に前記蒸発器で発生する結露水を浴室内に排出する排水機構を設けるように構成すれば、装置内部で発生した結露水が装置から滴下することがないため、使用者に不快感を与えずに排水することができる。
【発明の実施の形態】
以下に本発明の実施の形態を図面に基づいて説明する。
【００１２】
図１は、本発明の一実施形態に係る脱衣室冷房装置の設置状態を示す図である。
【００１３】
本発明の脱衣室冷房装置１は、浴室Ａの天井裏に設置され、後述する脱衣室吸込口及び脱衣室吹出口を備えた化粧カバー３を脱衣室Ｂ内の側壁面から臨むように取付けられている。なお、本実施形態においては、化粧カバー３の位置が浴室ドアＣの上部になるように設置されている。一方、浴室Ａ内には浴室吸込口及び浴室吹出口を備えた化粧カバー（図示しない）を浴室Ａ内の天井面から臨むように取付けられている。
【００１４】
脱衣室Ｂの壁にはリモコン９が設置され、脱衣室冷房装置１の各運転の開始や停止などの操作を行うことができる。このときリモコン９は赤外線式や電波式などの無線方式を使用して脱衣室冷房装置１と通信するように構成すれば施工上好ましい。なお、本発明の実施形態においては赤外線を採用して脱衣室冷房装置１と通信している。
【００１５】
また、浴室Ａの天井裏には換気装置５１が設置され、脱衣室Ｂの壁に設置された換気スイッチ１５の操作により換気ダクト５を通じて屋外に浴室Ａ内の空気を排出する。
【００１６】
脱衣室冷房装置１を天井裏への設置工事は、浴室の天井面に設けられた点検口５１から行うことができ、脱衣室冷房装置に電源を供給するための配線などの工事も点検口５１から作業する。
【００１７】
ここで、脱衣室冷房装置１の主な機能としては、内部に備えた送風ファンの作動により脱衣室Ｂ内の空気を脱衣室冷房装置１前面の化粧カバー３に設けた脱衣室吸込口から吸込んで内部に備えた熱交換器（以下、蒸発器）で冷却し、脱衣室吹出口から再び脱衣室Ｂ内に吹出す冷房機能、更には、内部に備えた送風ファンの作動により脱衣室Ｂ内の空気を脱衣室冷房装置１前面の化粧カバー３に設けた脱衣室吸込口から吸込んで、脱衣室吹出口から再び脱衣室Ｂ内に吹出す送風機能を備える。そして、脱衣室の冷房運転のときには送風ファンにより浴室吸込口から吸込まれた浴室の空気が内部に備えた熱交換器（以下、凝縮器）で加熱され、温風として浴室吹出口から浴室Ａ内に供給する。
【００１８】
なお、これら脱衣室冷房運転、送風運転はリモコン９の操作により開始、停止される。
【００１９】
図２は、本発明における脱衣室冷房装置の一実施形態を示す図である。
【００２０】
脱衣室冷房装置１は前述したように浴室Ａの天井裏に設置され、脱衣室Ｂの壁面には化粧カバー３が取付けられている。化粧カバー３には脱衣室冷房装置１内部にほこりの侵入を防止するためのフィルター（図示しない）を備えた脱衣室吸込口５及び脱衣室吹出口７が設けられ、脱衣室吹出口７には送風方向を可変するためのルーバー２７が備えられている。一方、浴室Ａの天井面には化粧カバー１１が取付けられていて、脱衣室冷房装置１内部にほこりの侵入を防止するためのフィルター（図示しない）を備えた浴室吸込口１３及び浴室吹出口１２が備えられている。さらに、脱衣室吹出口７同様に、浴室吹出口１２には送風方向を可変するための浴室ルーバー３１が備えられている。なお、浴室ルーバー３１はリモコン９の操作により、図示しないモータなどの駆動手段により電気的に駆動し、風向を自動的に可変できる構成としている。
【００２１】
さらに、脱衣室冷房装置１内部には、脱衣室Ｂ内の空気を吸込み再び脱衣室Ｂ内に空気を排出するための脱衣室用送風ファン１７と、浴室Ａ内の空気を吸込み再び浴室Ａ内に空気を排出するための浴室用送風ファン１９を備える。脱衣室用送風ファン１７と浴室用送風ファン１９はファンモータ１５の駆動により同時に回転する構成となっている。ファンモータ１５は、後述する制御手段により駆動制御される。
【００２２】
また、脱衣室吸込み口５と脱衣室用ファン１７との間には蒸発器２１が設けられ、脱衣室用ファン１７により脱衣室Ｂ内から吸込まれた空気が蒸発器２１により冷却され、送風通路２５を介して脱衣室吹出口７から再び冷風として脱衣室Ｂ内へ供給する。同様に、浴室吸込み口１３と浴室用ファン１９との間には凝縮器２３が設けられ、浴室用ファン１９により浴室Ａ内から吸込まれた空気が凝縮器２１により加熱され、送風通路２９を介して浴室吹出口１２から再び温風として浴室Ａ内へ供給する。
【００２３】
また、蒸発器２１で発生した結露水は、蒸発器２１下部に備えたドレン水受け部に滴下され、脱衣室冷房装置１本体から浴室内に排水するためのドレンホース３３が脱衣室冷房装置１内部から化粧パネル１１を通じて浴室Ａの壁に固定され、浴室Ａ内に排出するように構成されている。
【００２４】
図３は、本発明における一実施形態を示す脱衣室冷房装置の機能ブロック図である。
【００２５】
制御手段３５はリモコン９の操作信号を受ける受信部（図示しない）を備え、浴室ルーバー３１を駆動するための浴室ルーバー駆動部３７、冷媒配管内の冷媒を高温高圧にするための圧縮機としてのコンプレッサＰ、脱衣室用送風ファン１７及び浴室用送風ファン１９を作動するためのファンモータ１５に信号を送る。
【００２６】
制御手段３５はリモコン９から冷房運転の指示が来ると、コンプレッサＰに駆動信号を送る。コンプレッサＰにより冷媒が冷媒配管４１内を矢印方向に循環する。コンプレッサＰにより高温高圧になった冷媒は凝縮器２３を通り、キャピラリチューブ３９にて膨張されて低温となり蒸発器２１を通過して再びコンプレッサＰに至る経路を循環する。そして、ファンモータ１５の作動により凝縮器２３に通過する風は暖められて温風として供給され、蒸発器２１を通過する風は冷やされて冷風として供給される。ここで、制御手段３５はリモコン９からの温度設定信号により、コンプレッサＰ、ファンモータ１５の指令回転数を可変させて、設定温度になるようにコントロールする。
【００２７】
さらに制御手段３５は、リモコン９からの浴室風向可変信号により、浴室ルーバー駆動部３７に対して信号を送り図３で示した浴室ルーバー３１の動作をコントロールする。
【００２８】
図４は、本発明における脱衣室冷房装置の他の実施形態を示す機能ブロック図である。
【００２９】
制御手段３５は換気扇連動回路３９を備え、換気扇連動回路３９は換気扇５１と信号線で接続されている。ここで、リモコン９から冷房運転の開始信号を受けると換気扇連動回路３９は換気扇５１（換気扇５１に内蔵しているモータ）に対し駆動開始信号を送り、換気扇５１が作動開始する。リモコン９から冷房運転の停止信号を受けると換気扇連動回路３９は換気扇５１に対し駆動停止信号を送り、換気扇５１も停止する。
【００３０】
図５は、リモコン９の一実施形態を示す図である。
【００３１】
リモコン９は、現在の運転状態などを表示する表示部６１、各運転を停止すための停止スイッチ６３、脱衣室の冷房運転を行うための冷房スイッチ６５、脱衣室に送風運転を行うための送風スイッチ６７、浴室ルーバー３１を可動させるための浴室風向スイッチ６９及び、運転時間や室温を設定するための上下スイッチ７１、運転時間と室温の設定を切替える温度時間スイッチ７３を備える。
【００３２】
ここで、冷房スイッチ６５を押すと予め設定された運転時間、設定された温度で運転が開始される。設定されている運転時間を変更したい場合は温度時間スイッチ７３の操作により表示部６１の表示を時間表示にして上下スイッチ７１で運転時間の変更を行う。同様にされている設定されている温度を変更したい場合は温度時間スイッチ７３の操作により表示部６１の表示を温度表示にして上下スイッチ７１で運転時間の変更を行う。なお、送風スイッチ６５を押した場合は温度時間スイッチ７３を押しても表示部６１の表示は温度表示に切替らないように構成されている。また、後で説明する図６で示すように浴室風向スイッチ６９を押す度に浴室への吹出方向を３方向に可変することができる。
【００３３】
図６は、浴室ルーバー３１の一実施形態を示す図である。
【００３４】
脱衣室冷房装置１の浴室吹出口１２に設けられた浴室ルーバー３１は図示しないモータで駆動する構成となっており、図のように前述したリモコン９の操作により吹出方向をａ、ｂ、ｃの３方向に可変することができる。すなわち、浴室の壁面Ｆの乾燥を促進したい場合はａ方向、床付近の乾燥を促進したい場合はｂ方向、天井面Ｅの乾燥を促進したい場合はｃ方向になるようにそれぞれ使用者がリモコン９を操作する。
【００３５】
【図面の簡単な説明】
【図１】本発明の一実施形態に係る脱衣室冷房装置の設置状態を示す図。
【図２】本発明における脱衣室冷房装置の一実施形態を示す図。
【図３】本発明における脱衣室冷房装置の一実施形態を示す機能ブロック図。
【図４】本発明における脱衣室冷房装置の他の実施形態を示す機能ブロック図
【図５】本発明におけるリモコン９の一実施形態を示す図。
【図６】本発明における浴室ルーバー３１の一実施形態を示す図。
【符号の説明】
Ａ…浴室
Ｂ…脱衣室
Ｃ…浴室ドア
Ｄ…脱衣室の壁
Ｅ…浴室天井面
Ｆ…浴室側壁
１…脱衣室冷房器
５…脱衣室吸込み口
７…脱衣室吹出口
１３…浴室吸込み口
１５…ファンモータ
１７…脱衣室用送風ファン
１９…浴室用送風ファン
２１…蒸発器
２３…凝縮器
２７、３１…ルーバー
３３…ドレンホース
３５…制御手段
３７…ルーバー駆動部
３９…換気扇駆動回路
５１…換気扇
【図１】
2004293987.tif 000003
【図２】
2004293987.tif 000004
【図３】
2004293987.tif 000005
【図４】
2004293987.tif 000006
【図５】
2004293987.tif 000007
【図６】
2004293987.tif 000008